(57)【要約】【課題】映像配信サービスの年齢制限されたチャンネルを未成年者が視聴することを困難とし、且つ暗証番号を入力する煩わしさが無い視聴制限方法を提供することを課題とする。【解決手段】携帯情報端末からセットトップボックスに映像配信サービスの中のチャンネルの視聴要求を送信するステップと、携帯情報端末ＩＤが登録されているかどうかを判定するステップと、視聴対象のチャンネルに視聴制限があるかどうかを判定するステップと、指紋認証を行い、認証された場合は次のステップに進み、認証されなかった場合は終了するステップと、氏名と住所と生年月日と顔写真からなる４情報およびその４情報を暗号化した電子署名データを送信するステップと、４情報と４情報の電子署名データを照合するステップと、利用者の年齢を算出するステップと、利用者の年齢が２０歳以上であるかどうかを判定するステップと、をこの順に備えていることを特徴とする視聴制限方法。【選択図】図１
2019205026.tif 000002
【特許請求の範囲】
【請求項１】
セットトップボックスを使用して映像を配信する映像配信サービスにおいて、予め利用者の氏名と住所と生年月日と顔写真からなる４情報およびその４情報を暗号化した電子署名データと、携帯情報端末ＩＤと、を映像配信サービスの提供者のサーバに予め登録しておくことにより、チャンネル毎の年齢による視聴制限を可能とする視聴制限システムであって、
利用者の携帯情報端末と、携帯情報端末と無線通信可能なセットトップボックスと、セットトップボックスと通信可能な映像配信サービスの提供者のサーバと、を備えており、
携帯情報端末は、セットトップボックスに映像配信サービスの中のチャンネルの視聴要求を送信する手段と、指紋認証を行い、認証された場合は次のステップに進み、認証されなかった場合は終了する手段と、利用者の氏名と住所と生年月日と顔写真からなる４情報およびその４情報を暗号化した電子署名データをセットトップボックスに送信する手段と、を備えており、
セットトップボックスは、携帯情報端末ＩＤがセットトップボックスに登録されているかどうかを判定し、登録済の場合は次のステップに進み、登録されていない場合は終了する手段と、視聴対象のチャンネルに視聴制限があるかどうかを判定し、視聴制限が有る場合は次のステップに進み、視聴制限が無い場合はチャンネルの視聴を開始する手段と、前記４情報と４情報の前記電子署名データを照合し、両者が一致すれば認証して次のステップに進み、一致しなければ認証しないで終了する手段と、利用者の年齢を算出する手段と、利用者の年齢が視聴制限年齢以上であるかどうかを判定し、視聴制限年齢以上である場合は当該チャネルの視聴制限を解除し、視聴制限年齢未満である場合は終了する手段と、を備えていることを特徴とする視聴制限システム。
【請求項２】
セットトップボックスを使用して映像を配信する映像配信サービスにおいて、映像配信サービスを受ける利用者情報の登録を管理する管理者が、予め利用者の氏名と住所と生年月日と顔写真からなる４情報およびその４情報を暗号化した電子署名データと、携帯情報端末ＩＤと、を映像配信サービスの提供者のサーバに予め登録しておくことにより、チャンネル毎の年齢による視聴制限を可能とする視聴制限方法であって、
携帯情報端末からセットトップボックスに映像配信サービスの中のチャンネルの視聴要求を送信するステップａと、
携帯情報端末ＩＤがセットトップボックスに登録されているかどうかをセットトップボックスが判定し、登録済の場合は次のステップに進み、登録されていない場合は終了するステップｂと、
視聴対象のチャンネルに視聴制限があるかどうかを判定し、視聴制限が有る場合は次のステップに進み、視聴制限が無い場合はチャンネルの視聴を開始するステップｃと、
携帯情報端末による指紋認証を行い、認証された場合は次のステップに進み、認証されなかった場合は終了するステップｄと、
携帯情報端末が、氏名と住所と生年月日と顔写真からなる４情報およびその４情報を暗号化した電子署名データをセットトップボックスに送信するステップｅと、
セットトップボックスが、前記４情報と４情報の前記電子署名データを照合し、両者が一致すれば認証して次のステップに進み、一致しなければ認証しないで終了するステップｆと、
セットトップボックスが、利用者の年齢を算出するステップｇと、
セットトップボックスが、利用者の年齢が視聴制限年齢以上であるかどうかを判定し、視聴制限年齢以上である場合は当該チャネルの視聴制限を解除し、視聴制限年齢未満である場合は終了するステップｈと、をこの順に備えていることを特徴とする視聴制限方法。
【請求項３】
請求項１に記載の視聴制限方法における前記管理者の情報である管理者情報の登録方法であって、
前記管理者の前記携帯情報端末が、特定の個人を識別可能な情報を記録した情報媒体を
その端末にかざした状態で、特定の個人を識別可能な情報を記録した情報媒体に表示されている生年月日と、西暦表示された有効期限と、セキュリティコードと、をその携帯情報端末に入力することにより、特定の個人を識別可能な情報を記録した情報媒体から管理者情報を取得するステップ１と、
管理者の携帯情報端末が、ステップ１で取得した管理者情報と、管理者の携帯情報端末の携帯情報端末ＩＤと、をセットトップボックスに送信するステップ２と、
セットトップボックスが、取得した情報を映像配信サービス提供者のサーバに送信するステップ３と、
サーバが、受信した情報を予め申請されている管理者情報と照合し、一致した場合は管理者情報を登録し、一致しなかった場合は一致しなかったことを登録するステップ４と、
サーバが、ステップ４の登録結果をセットトップボックスに送信するステップ５と、
セットトップボックスが、登録結果を管理者の携帯情報端末に送信するステップ６と、
管理者の携帯情報端末が、登録結果を記憶するステップ７と、を備えており、
管理者情報は、氏名と住所と生年月日と顔写真およびそれらの電子署名データと、を含んでいることを特徴とする映像配信サービスにおける管理者情報の登録方法。
【請求項４】
請求項１に記載の視聴制限方法における前記利用者の情報である利用者情報の登録方法であって、
利用者の携帯情報端末が、特定の個人を識別可能な情報を記録した情報媒体をその端末にかざした状態で、特定の個人を識別可能な情報を記録した情報媒体に表示されている生年月日と、西暦表示された有効期限と、セキュリティコードと、をその端末に入力することにより、特定の個人を識別可能な情報を記録した情報媒体から利用者情報を取得するステップ１´と、
利用者の携帯情報端末が、取得した情報を管理者の携帯情報端末に送信するステップ２´と、
管理者の携帯情報端末が、ステップ２´で取得した利用者情報および管理者携帯情報端末ＩＤをセットトップボックスに送信するステップ３´と、
セットトップボックスが、取得した情報を映像配信サービス提供者のサーバに送信するステップ４´と、
サーバが、受信した情報を予め申請されている管理者携帯情報端末ＩＤと照合し、一致した場合は利用者情報を登録し、一致しない場合は一致しなかったことを登録ステップ５´と、
サーバが、ステップ５´の登録結果をセットトップボックスに返信するステップ６´と、
セットトップボックスが、登録結果を管理者の携帯情報端末に返信するステップ７´と、
管理者の携帯情報端末から利用者の携帯情報端末に登録結果を返信するステップ８´と、
利用者の携帯情報端末が、登録結果を記憶するステップ９´と、を備えており、
利用者情報は、氏名と住所と生年月日と顔写真およびそれらの電子署名データと、利用者の携帯情報端末ＩＤと、を含んでいることを特徴とする映像配信サービスにおける利用者情報の登録方法。
【発明の詳細な説明】
【技術分野】
【０００１】
本発明は、セットトップボックス（以後、ＳＴＢとも記す。）を使用して視聴するテレビ番組や映画などの映像配信サービスの年齢による視聴制限技術に関する。
【背景技術】
【０００２】
当初、ＳＴＢは年齢による視聴制限の機能が無かったため、未成年者に見せたくない番組などを制限する事ができなかった。近年になって、視聴制限の機能を備えたＳＴＢが利用可能となってきた。
【０００３】
ＳＴＢにより視聴制限する方法として、暗証番号を使用する方法があるが、視聴制限されている番組を視聴可能とするには、番組ごとに暗証番号を入力しなければならない。また暗証番号を忘れた場合は、改めて再設定の手続きが必要となる。
【０００４】
上記のような煩わしさを解消する技術として、特許文献１には、携帯電話ＩＤおよび利用者年齢などの情報をテレビ局などのサービス提供者のサーバに送信することによって、携帯電話でチャンネルを選択するだけで、年齢による視聴制限された番組の制限を解除することができる技術が開示されている。しかしながら、未成年者がその携帯電話を使用すれば、視聴制限された番組を視聴できる、という問題があった。
【先行技術文献】
【特許文献】
【０００５】
【特許文献１】特許第５１２７０５６号公報
【発明の概要】
【発明が解決しようとする課題】
【０００６】
上記の事情に鑑み、本発明は、セットトップボックスを介して提供される映像配信サービスの年齢制限されたチャンネルを未成年者が視聴することを困難とし、且つ暗証番号を入力する煩わしさが無い視聴制限方法を提供することを課題とする。
【課題を解決するための手段】
【０００７】
上記の課題を解決する手段として、本発明の請求項１に記載の発明は、セットトップボックスを使用して映像を配信する映像配信サービスにおいて、予め利用者の氏名と住所と生年月日と顔写真からなる４情報およびその４情報を暗号化した電子署名データと、携帯情報端末ＩＤと、を映像配信サービスの提供者のサーバに予め登録しておくことにより、チャンネル毎の年齢による視聴制限を可能とする視聴制限システムであって、
利用者の携帯情報端末と、携帯情報端末と無線通信可能なセットトップボックスと、セットトップボックスと通信可能な映像配信サービスの提供者のサーバと、を備えており、
携帯情報端末は、セットトップボックスに映像配信サービスの中のチャンネルの視聴要求を送信する手段と、指紋認証を行い、認証された場合は次のステップに進み、認証されなかった場合は終了する手段と、利用者の氏名と住所と生年月日と顔写真からなる４情報およびその４情報を暗号化した電子署名データをセットトップボックスに送信する手段と、を備えており、
セットトップボックスは、携帯情報端末ＩＤがセットトップボックスに登録されているかどうかを判定し、登録済の場合は次のステップに進み、登録されていない場合は終了する手段と、視聴対象のチャンネルに視聴制限があるかどうかを判定し、視聴制限が有る場合は次のステップに進み、視聴制限が無い場合はチャンネルの視聴を開始する手段と、前記４情報と４情報の前記電子署名データを照合し、両者が一致すれば認証して次のステップに進み、一致しなければ認証しないで終了する手段と、利用者の年齢を算出する手段と、利用者の年齢が視聴制限年齢以上であるかどうかを判定し、視聴制限年齢以上である場合は当該チャネルの視聴制限を解除し、視聴制限年齢未満である場合は終了する手段と、を備えていることを特徴とする視聴制限システムである。
【０００８】
また、本発明の請求項２に記載の発明は、セットトップボックスを使用して映像を配信する映像配信サービスにおいて、映像配信サービスを受ける利用者情報の登録を管理する管理者が、予め利用者の氏名と住所と生年月日と顔写真からなる４情報およびその４情報を暗号化した電子署名データと、携帯情報端末ＩＤと、を映像配信サービスの提供者のサーバに予め登録しておくことにより、チャンネル毎の年齢による視聴制限を可能とする視聴制限方法であって、
携帯情報端末からセットトップボックスに映像配信サービスの中のチャンネルの視聴要求を送信するステップａと、
携帯情報端末ＩＤがセットトップボックスに登録されているかどうかをセットトップボックスが判定し、登録済の場合は次のステップに進み、登録されていない場合は終了するステップｂと、
視聴対象のチャンネルに視聴制限があるかどうかを判定し、視聴制限が有る場合は次のステップに進み、視聴制限が無い場合はチャンネルの視聴を開始するステップｃと、
携帯情報端末による指紋認証を行い、認証された場合は次のステップに進み、認証されなかった場合は終了するステップｄと、
携帯情報端末が、氏名と住所と生年月日と顔写真からなる４情報およびその４情報を暗号化した電子署名データをセットトップボックスに送信するステップｅと、
セットトップボックスが、前記４情報と４情報の前記電子署名データを照合し、両者が一致すれば認証して次のステップに進み、一致しなければ認証しないで終了するステップｆと、
セットトップボックスが、利用者の年齢を算出するステップｇと、
セットトップボックスが、利用者の年齢が視聴制限年齢以上であるかどうかを判定し、視聴制限年齢以上である場合は当該チャネルの視聴制限を解除し、視聴制限年齢未満である場合は終了するステップｈと、をこの順に備えていることを特徴とする視聴制限方法である。
【０００９】
また、請求項３に記載の発明は、請求項１に記載の視聴制限方法における前記管理者の情報である管理者情報の登録方法であって、
前記管理者の前記携帯情報端末が、特定の個人を識別可能な情報を記録した情報媒体をその端末にかざした状態で、特定の個人を識別可能な情報を記録した情報媒体に表示されている生年月日と、西暦表示された有効期限と、セキュリティコードと、をその携帯情報端末に入力することにより、特定の個人を識別可能な情報を記録した情報媒体から管理者情報を取得するステップ１と、
管理者の携帯情報端末が、ステップ１で取得した管理者情報と、管理者の携帯情報端末の携帯情報端末ＩＤと、をセットトップボックスに送信するステップ２と、
セットトップボックスが、取得した情報を映像配信サービス提供者のサーバに送信するステップ３と、
サーバが、受信した情報を予め申請されている管理者情報と照合し、一致した場合は管理者情報を登録し、一致しなかった場合は一致しなかったことを登録するステップ４と、
サーバが、ステップ４の登録結果をセットトップボックスに送信するステップ５と、
セットトップボックスが、登録結果を管理者の携帯情報端末に送信するステップ６と、
管理者の携帯情報端末が、登録結果を記憶するステップ７と、を備えており、
管理者情報は、氏名と住所と生年月日と顔写真およびそれらの電子署名データと、を含んでいることを特徴とする映像配信サービスにおける管理者情報の登録方法である。
【００１０】
また、請求項４に記載の発明は、請求項１に記載の視聴制限方法における前記利用者の情報である利用者情報の登録方法であって、
利用者の携帯情報端末が、特定の個人を識別可能な情報を記録した情報媒体をその端末にかざした状態で、特定の個人を識別可能な情報を記録した情報媒体に表示されている生年月日と、西暦表示された有効期限と、セキュリティコードと、をその端末に入力することにより、特定の個人を識別可能な情報を記録した情報媒体から利用者情報を取得するステップ１´と、
利用者の携帯情報端末が、取得した情報を管理者の携帯情報端末に送信するステップ２´と、
管理者の携帯情報端末が、ステップ２´で取得した利用者情報および管理者携帯情報端末ＩＤをセットトップボックスに送信するステップ３´と、
セットトップボックスが、取得した情報を映像配信サービス提供者のサーバに送信するステップ４´と、
サーバが、受信した情報を予め申請されている管理者携帯情報端末ＩＤと照合し、一致した場合は利用者情報を登録し、一致しない場合は一致しなかったことを登録ステップ５´と、
サーバが、ステップ５´の登録結果をセットトップボックスに返信するステップ６´と、
セットトップボックスが、登録結果を管理者の携帯情報端末に返信するステップ７´と、
管理者の携帯情報端末から利用者の携帯情報端末に登録結果を返信するステップ８´と、
利用者の携帯情報端末が、登録結果を記憶するステップ９´と、を備えており、
利用者情報は、氏名と住所と生年月日と顔写真およびそれらの電子署名データと、利用者の携帯情報端末ＩＤと、を含んでいることを特徴とする映像配信サービスにおける利用者情報の登録方法である。
【発明の効果】
【００１１】
本発明の視聴制限システムは、利用者の携帯情報端末と、携帯情報端末と無線通信可能なセットトップボックスと、セットトップボックスと通信可能な映像配信サービスの提供者のサーバと、を備えており、携帯情報端末は、セットトップボックスに映像配信サービスの中のチャンネルの視聴要求を送信する手段と、指紋認証を行い、認証された場合は次のステップ進み、認証されなかった場合は終了する手段と、利用者の氏名と住所と生年月日と顔写真からなる４情報およびその４情報を暗号化した電子署名データをセットトップボックスに送信する手段と、を備えており、セットトップボックスは、携帯情報端末ＩＤがセットトップボックスに登録されているかどうかを判定し、登録済の場合は次のステップに進み、登録されていない場合は終了する手段と、視聴対象のチャンネルに視聴制限があるかどうかを判定し、視聴制限が有る場合は次のステップに進み、視聴制限が無い場合はチャンネルの視聴を開始する手段と、４情報と４情報の電子署名データを照合し、両者が一致すれば認証して次のステップに進み、一致しなければ認証しないで終了する手段と、利用者の年齢を算出する手段と、利用者の年齢が視聴制限年齢以上であるかどうかを判定し、視聴制限年齢以上である場合は当該チャネルの視聴制限を解除し、視聴制限年齢未満である場合は終了する手段と、を備えているため、未成年者が視聴制限年齢以上の人物の携帯情報端末を使用しても視聴することは不可能である。また、視聴しようとする人物は、自分の携帯情報端末を使用し、指紋認証するだけで年齢による視聴制限されたチャンネルを視聴することができるため、チャンネル毎にパスワードを入力する煩わしさが無い。
【００１２】
本発明の視聴制限方法は、携帯情報端末ＩＤが登録されているかどうかを判定するステップと、携帯情報端末で視聴しようとする人物が指紋認証されたかどうかを判定するステップと、氏名と住所と生年月日と顔写真を含む視聴しようとする人物の情報が認証されたかどうかを判定するステップと、視聴しようとする人物の年齢が視聴制限年齢以上であるかどうかを判定するステップと、を備えている。それらの全てのステップがクリアされることによって映像配信サービスが提供する視聴制限されたチャンネルを視聴可能となる。そのため、未成年者が視聴制限年齢以上の人物の携帯情報端末を使用しても視聴することは不可能である。また、視聴しようとする人物は、自分の携帯情報端末を使用し、指紋認証するだけで年齢による視聴制限されたチャンネルを視聴することができるため、チャンネル毎にパスワードを入力する煩わしさが無い。
【図面の簡単な説明】
【００１３】
【図１】本発明の視聴制限方法の作業の流れを説明するフロー図である。
【図２】本発明の情報の登録方法を説明する説明図であって、（ａ）は管理者情報の登録方法、（ｂ）は利用者情報の登録方法、を示すシーケンス図である。
【発明を実施するための形態】
【００１４】
＜視聴制限システム＞
本発明の視聴制限方法を実施する視聴制限システムは、セットトップボックスを介して提供される映像配信サービスを、視聴者がテレビなどの表示装置を使用して視聴する映像視聴システムである。具体的には、映像配信サービス提供（業）者のサーバと、そのサーバと通信可能なＳＴＢ（セットトップボックス）と、ＳＴＰに映像表示可能且つ音声の再生可能に接続されたテレビなどの表示装置と、ＳＴＢと無線通信可能な視聴者の携帯情報端末と、を備えた構成の視聴制限システムである。
【００１５】
更に詳しくは、本発明の視聴制限システムは、セットトップボックスを使用して映像を配信する映像配信サービスにおいて、予め利用者の氏名と住所と生年月日と顔写真からなる４情報およびその４情報を暗号化した電子署名データと、携帯情報端末ＩＤと、を映像配信サービスの提供者のサーバに予め登録しておくことにより、チャンネル毎の年齢による視聴制限を可能とする視聴制限システムである。
【００１６】
本発明の視聴制限システムは、利用者の携帯情報端末と、携帯情報端末と無線通信可能なセットトップボックスと、セットトップボックスと通信可能な映像配信サービスの提供者のサーバと、を備えている。
【００１７】
携帯情報端末は、セットトップボックスに映像配信サービスの中のチャンネルの視聴要求を送信する手段と、指紋認証を行い、認証された場合は次のステップ進み、認証されなかった場合は終了する手段と、利用者の氏名と住所と生年月日と顔写真からなる４情報およびその４情報を暗号化した電子署名データをセットトップボックスに送信する手段と、を備えている。
【００１８】
セットトップボックスは、携帯情報端末ＩＤがセットトップボックスに登録されているかどうかを判定し、登録済の場合は次のステップに進み、登録されていない場合は終了する手段と、視聴対象のチャンネルに視聴制限があるかどうかを判定し、視聴制限が有る場合は次のステップに進み、視聴制限が無い場合はチャンネルの視聴を開始する手段と、４情報と４情報の電子署名データを照合し、両者が一致すれば認証して次のステップに進み、一致しなければ認証しないで終了する手段と、利用者の年齢を算出する手段と、利用者の年齢が視聴制限年齢以上であるかどうかを判定し、視聴制限年齢以上である場合は当該チャネルの視聴制限を解除し、視聴制限年齢未満である場合は終了する手段と、を備えていることが特徴である。
【００１９】
この様な構成の映像視聴システムにおいて、映像配信サービスの年齢制限されたチャン
ネルを未成年者が視聴することができない様にする視聴制限方法について以下に説明する。
＜視聴制限方法＞
本発明は、セットトップボックスを使用して映像を配信する映像配信サービスにおいて、映像配信サービスを受ける利用者情報の登録を管理する管理者が、予め利用者の氏名と住所と生年月日と顔写真からなる４情報およびその４情報を暗号化した電子署名データと、携帯情報端末ＩＤと、映像配信サービスの提供者のサーバに予め登録しておくことにより、チャンネル毎の年齢による視聴制限を可能とする視聴制限方法である。
【００２０】
本発明は、携帯情報端末からセットトップボックスに映像配信サービスの中のチャンネルの視聴要求を送信するステップａと、携帯情報端末ＩＤがセットトップボックスに登録されているかどうかをセットトップボックスが判定し、登録済の場合は次のステップに進み、登録されていない場合は終了するステップｂと、視聴対象のチャンネルに視聴制限があるかどうかを判定し、視聴制限が有る場合は次のステップに進み、視聴制限が無い場合はチャンネルの視聴を開始するステップｃと、携帯情報端末による指紋認証を行い、認証された場合は次のステップ進み、認証されなかった場合は終了するステップｄと、携帯情報端末が、氏名と住所と生年月日と顔写真からなる４情報およびその４情報を暗号化した電子署名データをセットトップボックスに送信するステップｅと、セットトップボックスが、４情報と４情報の電子署名データを照合し、両者が一致すれば認証して次のステップに進み、一致しなければ認証しないで終了するステップｆと、セットトップボックスが、利用者の年齢を算出するステップｇと、セットトップボックスが、利用者の年齢が視聴制限年齢以上であるかどうかを判定し、視聴制限年齢以上である場合は当該チャネルの視聴制限を解除し、視聴制限年齢未満である場合は終了するステップｈと、をこの順に備えている。
【００２１】
（ステップａ）
ステップａでは、利用者の携帯情報端末からセットトップボックスに対して、映像配信サービスの中のチャンネルの視聴要求を送信する。送信の方法は、無線通信であれば特に限定する必要はないが、例えば携帯情報端末に標準的に備えられているブルートゥース（登録商標）（Ｂｌｕｅｔｏｏｔｈ（登録商標）とも記す。）を好適に使用することができる。
【００２２】
（ステップｂ）
ステップｂでは、利用者の携帯情報端末ＩＤが登録されているかどうかを判定する。その判定により、登録済と判定された場合は次のステップに進み、登録されていないと判定された場合は終了する。このステップｂにより予め登録されていないスマートフォンや携帯電話などの携帯情報端末は使用できないことになる。ここで携帯情報端末ＩＤとは携帯情報端末の契約者固有ＩＤを意味する。スマートフォンや携帯電話などでインターネット上のウェブサイトを閲覧した際に、サーバに送信される識別子である。狭義にはスマートフォンなどの契約者ごとに固有のＩＤ（機種変更を行っても契約者が同一である限りは変更されないＩＤ）を指し、広義には端末ごとに固有のＩＤ（機種を変更すると変更されるＩＤ）を含む。
【００２３】
（ステップｃ）
ステップｃでは、視聴対象のチャンネルに視聴制限があるかどうかを判定する。その判定により、視聴制限が有ると判定された場合は次のステップに進み、視聴制限が無いと判定された場合はチャンネルの視聴を開始する。
【００２４】
（ステップｄ）
ステップｄでは、携帯情報端末により指紋認証を行う。認証された場合は次のステップ進み、認証されなかった場合は終了する。
【００２５】
（ステップｅ）
ステップｅでは、氏名と住所と生年月日と顔写真からなる４情報およびその４情報を暗号化した電子署名データを送信する。送信の方法は、無線通信であれば特に限定する必要はないが、例えば携帯情報端末に標準的に備えられているブルートゥース（登録商標）（Ｂｌｕｅｔｏｏｔｈ（登録商標）とも記す。）を好適に使用することができる。
【００２６】
（ステップｆ）
ステップｆでは、４情報と４情報の電子署名データを照合し、それらが一致しているかどうかを判定する。その判定により、両者が一致している場合は認証し、一致していなければ認証しない。なお、４情報と４情報の電子署名データを照合するにあたり、暗号かされている４情報の電子署名データを復号することにより、照合可能となる。
【００２７】
（ステップｇ）
ステップｇでは、利用者の年齢を算出する。４情報の中の生年月日のデータと、映像配信サービスを視聴する当日の年月日のデータを演算処理する事によって、利用者の年齢を算出する。演算処理を実施する装置は、携帯情報端末またはＳＴＢまたは映像配信サービスの提供者のサーバのうちの何れでも構わないが、例えばＳＴＢにおいて実施すれば良い。
【００２８】
（ステップｈ）
ステップｈでは、利用者の年齢が２０歳以上であるかどうかを判定する。その判定において、２０歳以上であると判定された場合は当該チャネルの視聴制限を解除して視聴を開始する。また、２０歳未満であると判定された場合は終了する。
【００２９】
以上に説明したステップａ〜ステップｈをこの順に実施することにより、セットトップボックスを介して提供される映像配信サービスの年齢制限されたチャンネルを未成年者が視聴することを不可能とし、且つ利用者の携帯情報端末で指紋認証するだけで視聴可能となるため、暗証番号を入力する煩わしさが無い視聴制限方法を実施することが可能となる。
【００３０】
＜管理者情報の登録方法＞
次に、本発明の視聴制限方法を実施するために必要な準備として行う管理者情報の登録方法について説明する。ここで管理者情報とは、少なくとも、氏名と住所と生年月日と顔写真からなる４情報と、その４情報を暗号化した４情報の電子署名データと、を含む情報を指す。
【００３１】
本発明の管理者情報の登録方法は、セットトップボックスを使用した映像配信サービスにおける管理者情報の登録方法である。
【００３２】
本発明の管理者情報の登録方法は、管理者を特定する情報（以後、管理者情報とも記す。）を、特定の個人を識別可能な情報を記録した情報媒体を使用して管理者の携帯情報端末に取得するステップ１と、ステップ１で取得した情報をセットトップボックスに送信するステップ２と、セットトップボックスが取得した情報を映像配信サービス提供者のサーバに送信するステップ３と、サーバが受信した情報を、予め申請されている管理者情報と照合し、一致した場合は管理者情報を登録し、一致しない場合は一致しなかったことを登録するステップ４と、サーバがステップ４の登録結果をセットトップボックスに返信するステップ５と、セットトップボックスが登録結果を管理者の携帯情報端末に返信するステップ６と、管理者の携帯情報端末が登録結果を記憶するステップ７と、を備えている。
【００３３】
また、ステップ１において管理者の携帯情報端末に管理者情報を取得する際に、特定の個人を識別可能な情報を記録した情報媒体に表示されている生年月日と、西暦表示された有効期限と、セキュリティコードと、を携帯情報端末に入力することが特徴である。
【００３４】
図２（ａ）に示したシーケンス図を用いてステップ１からステップ７について説明する。
（ステップ１）
ステップ１では、管理者情報を、特定の個人を識別可能な情報を記録した情報媒体を使用して管理者の携帯情報端末に取得する。
そのため、まず、視聴専用のアプリケーションソフトをインストールした管理者の携帯情報端末に、管理者の特定の個人を識別可能な情報を記録した情報媒体をかざす。その状態で、予めその視聴専用のアプリケーションソフトを起動しておき、携帯情報端末に、特定の個人を識別可能な情報を記録した情報媒体に表示されている生年月日と、西暦表示された有効期限と、セキュリティコードと、を携帯情報端末に入力する。このことにより、管理者の携帯情報端末は、例えばＮＦＣ（Ｎｅａｒ  Ｆｉｅｌｄ  Ｃｏｍｍｕｎｉｃａｔｉｏｎ）などによる無線通信機能を使用して、特定の個人を識別可能な情報を記録した情報媒体から管理者情報を取得することができる。無線通信の手段としてはＮＦＣに限定する必要は無い。
【００３５】
（ステップ２）
ステップ２では、ステップ１で取得した管理者情報と、管理者の携帯情報端末ＩＤと、をセットトップボックスに送信する。例えば携帯情報端末のＢｌｕｅｔｏｏｔｈ（登録商標）などの無線通信機能を使用して送信することができる。無線通信の手段としてはＢｌｕｅｔｏｏｔｈ（登録商標）に限定する必要は無い。
【００３６】
（ステップ３）
ステップ３では、セットトップボックスが取得した管理者情報と管理者の携帯情報端末ＩＤを、インターネット回線を介して、映像配信サービス提供者のサーバに送信する。
【００３７】
（ステップ４）
ステップ４では、映像配信サービス提供者のサーバが受信した情報を、予め申請されている管理者情報と照合する。照合した結果、両者が一致した場合は管理者情報を登録し、登録許可情報を生成する。一致しなかった場合は管理者情報を登録せず、登録許可情報も生成しない。
【００３８】
（ステップ５）
ステップ５では、映像配信サービス提供者のサーバが、登録結果と登録許可情報をセットトップボックスに送信する。
【００３９】
（ステップ６）
ステップ６では、セットトップボックスが、管理者携帯情報端末に登録結果と登録許可情報を送信する。
【００４０】
（ステップ７）
ステップ７では、管理者の携帯情報端末が、視聴専用のアプリケーションソフトを介して、登録結果と登録許可情報を記憶する。
【００４１】
以上によって、管理者の４情報とその４情報の署名データと、管理者の携帯情報端末ＩＤの登録を完了することができる。
【００４２】
＜利用者情報の登録方法＞
次に、本発明の視聴制限方法を実施するために必要な準備として行う利用者情報の登録方法について説明する。
【００４３】
本発明の利用者情報の登録方法は、セットトップボックスを使用した映像配信サービスにおける利用者情報の登録方法である。
【００４４】
本発明の利用者情報の登録方法は、利用者を特定する情報（以後、利用者情報とも記す。）を、特定の個人を識別可能な情報を記録した情報媒体を使用して利用者の携帯情報端末に取得するステップ１´と、利用者の携帯情報端末が取得した利用者情報と利用者の携帯情報端末ＩＤを管理者の携帯情報端末に送信するステップ２´と、ステップ２´で取得した情報および管理者携帯情報端末ＩＤをセットトップボックスに送信するステップ３´と、セットトップボックスが取得した情報を映像配信サービス提供者のサーバに送信するステップ４´と、サーバが受信した情報を、予め申請されている管理者携帯情報端末ＩＤと照合し、一致した場合は利用者情報を登録し、一致しない場合は一致しなかったことを登録ステップ５´と、サーバがステップ５´の登録結果をセットトップボックスに返信するステップ６´と、セットトップボックスが登録結果を管理者の携帯情報端末に送信するステップ７´と、管理者の携帯情報端末から利用者の携帯情報端末に登録結果を送信するステップ８´と、利用者の携帯情報端末が登録結果を記憶するステップ９´と、を備えている。
【００４５】
利用者情報は、氏名と住所と生年月日と顔写真およびそれらの電子署名データと、利用者の携帯情報端末ＩＤと、を含んでいる。
【００４６】
また、ステップ１´において利用者の携帯情報端末に利用者情報を取得する際に、携帯情報端末に特定の個人を識別可能な情報を記録した情報媒体をかざした状態で、特定の個人を識別可能な情報を記録した情報媒体に表示されている生年月日と、西暦表示された有効期限と、セキュリティコードと、を携帯情報端末に入力することにより、特定の個人を識別可能な情報を記録した情報媒体から利用者情報を取得することができる。  
【００４７】
図２（ｂ）に示したシーケンス図を用いてステップ１´からステップ７´について説明する。
（ステップ１´）
ステップ１´では、ステップ１では、利用者情報を、特定の個人を識別可能な情報を記録した情報媒体を使用して利用者の携帯情報端末に取得する。
そのため、まず、視聴専用のアプリケーションソフトをインストールした利用者の携帯情報端末に、利用者の特定の個人を識別可能な情報を記録した情報媒体をかざした状態にする。予めその視聴専用のアプリケーションソフトを起動しておく。次に、特定の個人を識別可能な情報を記録した情報媒体に表示されている生年月日と、西暦表示された有効期限と、セキュリティコードと、を携帯情報端末に入力する。このことにより、利用者の携帯情報端末は、例えばＮＦＣ（Ｎｅａｒ  Ｆｉｅｌｄ  Ｃｏｍｍｕｎｉｃａｔｉｏｎ）などによる無線通信機能を使用して、特定の個人を識別可能な情報を記録した情報媒体から利用者情報を取得することができる。無線通信の手段としてはＮＦＣに限定する必要は無い。
【００４８】
（ステップ２´）
ステップ２´では、利用者の携帯情報端末が、ステップ１で取得した利用者情報と利用者の携帯情報端末ＩＤを管理者の携帯情報端末に送信する。例えば携帯情報端末のＢｌｕｅｔｏｏｔｈ（登録商標）などの無線通信機能を使用して送信することができる。無線通信の手段としてはＢｌｕｅｔｏｏｔｈ（登録商標）に限定する必要は無い。
【００４９】
（ステップ３´）
ステップ３´では、管理者の携帯情報端末がステップ２´で取得した情報を、管理者の情報端末がセットトップボックスに送信する。
【００５０】
（ステップ４´）
ステップ４´では、セットトップボックスが取得した情報を映像配信サービス提供者のサーバに送信する。
【００５１】
（ステップ５´）
ステップ５´では、映像配信サービス提供者のサーバが受信した情報を、予め申請されている管理者携帯情報端末ＩＤと照合する。照合した結果、両者が一致した場合は利用者情報を登録し、登録許可情報を生成する。一致しなかった場合は利用者情報を登録せず、登録許可情報も生成しない。
【００５２】
（ステップ６´）
ステップ６´では、映像配信サービス提供者のサーバが、登録結果と登録許可情報をセットトップボックスに送信する。
【００５３】
（ステップ７´）
ステップ７´では、セットトップボックスが、管理者携帯情報端末に登録結果と登録許可情報を送信する。
【００５４】
（ステップ８´）
ステップ８´では、管理者の携帯情報端末から利用者の携帯情報端末に登録結果を送信する。
【００５５】
（ステップ９´）
ステップ９´では、利用者の携帯情報端末が登録結果を、視聴専用アプリケーションソフトを介して、記憶する。
【００５６】
以上のステップ１´〜ステップ９´をこの順に実施することにより、利用者情報の登録を行うことができる。
【００５７】
以上の管理者情報の登録方法と、利用者情報の登録方法を使用して、それぞれ管理者情報と利用者情報を登録しておくことにより、本発明の映像配信サービスの視聴制限方法を実施することが可能となる。
【００５８】
また、セットトップボックスを使用する映像配信サービスの本発明の視聴制限方法により、セットトップボックスを介して提供される映像配信サービスの年齢制限されたチャンネルを未成年者が視聴することを不可能とし、且つ視聴者は携帯情報端末で指紋認証するだけで視聴可能となるため、暗証番号を入力する煩わしさが無い視聴制限方法を提供することができる。
【図１】
2019205026.tif 000003
【図２】
2019205026.tif 000004